【手続補正書】
【提出日】平成18年3月14日(2006.3.14)
【手続補正１】
【補正対象書類名】明細書
【補正対象項目名】特許請求の範囲
【補正方法】変更
【補正の内容】
【特許請求の範囲】
【請求項１】  プリンタのタイプによらない、プリンタのための画像を量子化する、共通画像処理を実行する共通処理モジュールと、
プリンタのタイプによる、プリンタのための前記共通処理モジュールで量子化された画像情報を修整する、互いに異なる画像処理を実行する複数の個別処理モジュールと、
プリンタのタイプに従って複数の個別モジュールを切り替え、切り替えられたモジュールで処理された情報を出力する切り替え手段とを有することを特徴とする情報処理装置。
【請求項２】  プリンタのタイプによらない、プリンタのための画像を量子化する、共通画像処理を実行する共通処理モジュールと、プリンタのタイプによる、プリンタのための共通処理モジュールで量子化された画像情報を修整する、互いに異なる画像処理を実行する複数の個別処理モジュールとを記憶する記憶手段と、
前記記憶手段に記憶された処理モジュールを実行する実行手段とを有することを特徴とする情報処理装置。
【請求項３】  プリンタで印刷される画像情報を生成する情報処理装置であって、
画像情報の量子化処理を行う、複数のプリンタに対して使用される共通処理モジュールと、
前記共通処理モジュールで量子化処理された画像情報に対してプリンタに依存する処理を行う個別処理モジュールと、
前記個別処理モジュールで処理された画像情報を出力する出力手段とを有することを特徴とする情報処理装置。
【請求項４】  画像情報の量子化処理を行う、複数のプリンタに対して使用される共通処理モジュールと、
前記共通処理モジュールで量子化処理された画像情報に対してプリンタに依存する処理を行う複数の個別処理モジュールと、
前記複数の個別処理モジュールから一つの個別処理モジュールを選択する選択手段とを有することを特徴とする情報処理装置。
【請求項５】  前記個別処理モジュールは、プリンタのヘッド構成に応じた画像情報を生成することを特徴とする請求項１乃至４いずれか記載の情報処理装置。
【請求項６】  前記個別処理モジュールは、耐水強化剤用の情報を生成することを特徴とする請求項１乃至５記載の情報処理装置。
【請求項７】  前記出力手段は、前記個別処理モジュールで処理された画像情報をスプーラに出力することを特徴とする請求項３記載の情報処理装置。
【請求項８】  前記出力手段は、前記個別処理モジュールで処理された画像情報をプリンタに出力することを特徴とする請求項３記載の情報処理装置。
【請求項９】  前記個別モジュールは、統一された入出力インターフェースを持つことを特徴とする請求項１乃至８いずれかに記載の情報処理装置。
【請求項１０】  前記選択手段による選択は、モジュールをインストールする際に実行されることを特徴とする請求項４記載の情報処理装置。
【請求項１１】  前記選択手段による選択は、画像情報をプリンタに出力する際に実行されることを特徴とする請求項４記載の情報処理装置。
【請求項１２】  プリンタのタイプによらない、プリンタのための画像を量子化する、共通画像処理を実行する共通処理モジュールと、プリンタのタイプによる、プリンタのための前記共通処理モジュールで量子化された画像情報を修整する、互いに異なる画像処理を実行する複数の個別処理モジュールとを利用するデータ処理方法であって、
プリンタのタイプに従って複数の個別モジュールを切り替え、切り替えられたモジュールで処理された情報を出力することを特徴とするデータ処理方法。
【請求項１３】  プリンタのタイプによらない、プリンタのための画像を量子化する、共通画像処理を実行する共通処理モジュールと、プリンタのタイプによる、プリンタのための共通処理モジュールで量子化された画像情報を修整する、互いに異なる画像処理を実行する複数の個別処理モジュールと利用するデータ処理方法であって、
前記記憶手段に記憶された処理モジュールを実行することを特徴とするデータ処理方法。
【請求項１４】  プリンタで印刷される画像情報を生成するデータ処理方法であって、
画像情報の量子化処理を行う、複数のプリンタに対して使用される共通処理モジュールと、
前記共通処理モジュールで量子化処理された画像情報に対してプリンタに依存する処理を行う個別処理モジュールとを利用し、
前記個別処理モジュールで処理された画像情報を出力することを特徴とするデータ処理方法。
【請求項１５】  画像情報の量子化処理を行う、複数のプリンタに対して使用される共通処理モジュールと、前記共通処理モジュールで量子化処理された画像情報に対してプリンタに依存する処理を行う複数の個別処理モジュールとを利用するデータ処理方法であって、
前記複数の個別処理モジュールから一つの個別処理モジュールを選択することを特徴とするデータ処理方法。
【請求項１６】  プリンタのタイプによらない、プリンタのための画像を量子化する、共通画像処理を実行する共通処理モジュールと、
プリンタのタイプによる、プリンタのための前記共通処理モジュールで量子化された画像情報を修整する、互いに異なる画像処理を実行する複数の個別処理モジュールと、
プリンタのタイプに従って複数の個別モジュールを切り替え、切り替えられたモジュールで処理された情報を出力する出力モジュールとをコンピュータに実現させるためのプログラムを記憶した記憶媒体。
【請求項１７】  プリンタのタイプによらない、プリンタのための画像を量子化する、共通画像処理を実行する共通処理モジュールと、
プリンタのタイプによる、プリンタのための共通処理モジュールで量子化された画像情報を修整する、互いに異なる画像処理を実行する複数の個別処理モジュールと、
前記処理モジュールを実行する実行モジュールとをコンピュータに実現させるためのプログラムを記憶した記憶媒体。
【請求項１８】  プリンタで印刷される画像情報を生成するデータ処理方法であって、
画像情報の量子化処理を行う、複数のプリンタに対して使用される共通処理モジュールと、
前記共通処理モジュールで量子化処理された画像情報に対してプリンタに依存する処理を行う個別処理モジュールと、
前記個別処理モジュールで処理された画像情報を出力する出力モジュールとをコンピュータに実現させるためのプログラムを記憶した記憶媒体。
【請求項１９】  画像情報の量子化処理を行う、複数のプリンタに対して使用される共通処理モジュールと、
前記共通処理モジュールで量子化処理された画像情報に対してプリンタに依存する処理を行う複数の個別処理モジュールと、
前記複数の個別処理モジュールから一つの個別処理モジュールを選択する選択モジュールとをコンピュータに実現させるためのプログラムを記憶した記憶媒体。
【請求項２０】  プリンタのタイプによらない、プリンタのための画像を量子化する、共通画像処理を供給する共通処理モジュールと、
プリンタのタイプによる、プリンタのための共通処理モジュールで量子化された画像情報を修整する、互いに異なる画像処理を供給する複数の個別の処理モジュールとをコンピュータに実現させるためのプログラムを記憶した記憶媒体。
【手続補正２】
【補正対象書類名】明細書
【補正対象項目名】００３１
【補正方法】変更
【補正の内容】
【００３１】
【課題を解決するための手段】
上記目的を達成するために本発明の情報処理装置は、
プリンタのタイプによらない、プリンタのための画像を量子化する、共通画像処理を実行する共通処理モジュールと、
プリンタのタイプによる、プリンタのための前記共通処理モジュールで量子化された画像情報を修整する、互いに異なる画像処理を実行する複数の個別処理モジュールと、
プリンタのタイプに従って複数の個別モジュールを切り替え、切り替えられたモジュールで処理された情報を出力する切り替え手段とを有することを特徴とする。
【手続補正３】
【補正対象書類名】明細書
【補正対象項目名】００３２
【補正方法】変更
【補正の内容】
【００３２】
また、本発明の情報処理装置は、
プリンタのタイプによらない、プリンタのための画像を量子化する、共通画像処理を実行する共通処理モジュールと、プリンタのタイプによる、プリンタのための共通処理モジュールで量子化された画像情報を修整する、互いに異なる画像処理を実行する複数の個別処理モジュールとを記憶する記憶手段と、
前記記憶手段に記憶された処理モジュールを実行する実行手段とを有することを特徴とする。
【手続補正４】
【補正対象書類名】明細書
【補正対象項目名】００３３
【補正方法】変更
【補正の内容】
【００３３】
また、本発明の情報処理装置は、
プリンタで印刷される画像情報を生成する情報処理装置であって、
画像情報の量子化処理を行う、複数のプリンタに対して使用される共通処理モジュールと、
前記共通処理モジュールで量子化処理された画像情報に対してプリンタに依存する処理を行う個別処理モジュールと、
前記個別処理モジュールで処理された画像情報を出力する出力手段とを有することを特徴とする。
【手続補正５】
【補正対象書類名】明細書
【補正対象項目名】００３４
【補正方法】変更
【補正の内容】
【００３４】
また、本発明の情報処理装置は、
画像情報の量子化処理を行う、複数のプリンタに対して使用される共通処理モジュールと、
前記共通処理モジュールで量子化処理された画像情報に対してプリンタに依存する処理を行う複数の個別処理モジュールと、
前記複数の個別処理モジュールから一つの個別処理モジュールを選択する選択手段とを有することを特徴とする。
【手続補正６】
【補正対象書類名】明細書
【補正対象項目名】００３５
【補正方法】変更
【補正の内容】
【００３５】
また、本発明のデータ処理方法は、
プリンタのタイプによらない、プリンタのための画像を量子化する、共通画像処理を実行する共通処理モジュールと、プリンタのタイプによる、プリンタのための前記共通処理モジュールで量子化された画像情報を修整する、互いに異なる画像処理を実行する複数の個別処理モジュールとを利用するデータ処理方法であって、
プリンタのタイプに従って複数の個別モジュールを切り替え、切り替えられたモジュールで処理された情報を出力することを特徴とする。
【手続補正７】
【補正対象書類名】明細書
【補正対象項目名】００３６
【補正方法】変更
【補正の内容】
【００３６】
また、本発明のデータ処理方法は、
プリンタのタイプによらない、プリンタのための画像を量子化する、共通画像処理を実行する共通処理モジュールと、プリンタのタイプによる、プリンタのための共通処理モジュールで量子化された画像情報を修整する、互いに異なる画像処理を実行する複数の個別処理モジュールと利用するデータ処理方法であって、
前記記憶手段に記憶された処理モジュールを実行することを特徴とする。
【手続補正８】
【補正対象書類名】明細書
【補正対象項目名】００３７
【補正方法】変更
【補正の内容】
【００３７】
また、本発明のデータ処理方法は、
プリンタで印刷される画像情報を生成するデータ処理方法であって、
画像情報の量子化処理を行う、複数のプリンタに対して使用される共通処理モジュールと、
前記共通処理モジュールで量子化処理された画像情報に対してプリンタに依存する処理を行う個別処理モジュールとを利用し、
前記個別処理モジュールで処理された画像情報を出力することを特徴とする。
【手続補正９】
【補正対象書類名】明細書
【補正対象項目名】００３８
【補正方法】変更
【補正の内容】
【００３８】
また、本発明のデータ処理方法は、
画像情報の量子化処理を行う、複数のプリンタに対して使用される共通処理モジュールと、前記共通処理モジュールで量子化処理された画像情報に対してプリンタに依存する処理を行う複数の個別処理モジュールとを利用するデータ処理方法であって、
前記複数の個別処理モジュールから一つの個別処理モジュールを選択することを特徴とする。
【手続補正１０】
【補正対象書類名】明細書
【補正対象項目名】００３９
【補正方法】変更
【補正の内容】
【００３９】
また、本発明の記憶媒体は、
プリンタのタイプによらない、プリンタのための画像を量子化する、共通画像処理を実行する共通処理モジュールと、
プリンタのタイプによる、プリンタのための前記共通処理モジュールで量子化された画像情報を修整する、互いに異なる画像処理を実行する複数の個別処理モジュールと、
プリンタのタイプに従って複数の個別モジュールを切り替え、切り替えられたモジュールで処理された情報を出力する出力モジュールとをコンピュータに実現させるためのプログラムを記憶した記憶媒体。
また、本発明の記憶媒体は、
プリンタのタイプによらない、プリンタのための画像を量子化する、共通画像処理を実行する共通処理モジュールと、
プリンタのタイプによる、プリンタのための共通処理モジュールで量子化された画像情報を修整する、互いに異なる画像処理を実行する複数の個別処理モジュールと、
前記処理モジュールを実行する実行モジュールとをコンピュータに実現させるためのプログラムを記憶したことを特徴とする。
また、本発明の記憶媒体は、
プリンタで印刷される画像情報を生成するデータ処理方法であって、
画像情報の量子化処理を行う、複数のプリンタに対して使用される共通処理モジュールと、
前記共通処理モジュールで量子化処理された画像情報に対してプリンタに依存する処理を行う個別処理モジュールと、
前記個別処理モジュールで処理された画像情報を出力する出力モジュールとをコンピュータに実現させるためのプログラムを記憶したことを特徴とする。
また、本発明の記憶媒体は、
画像情報の量子化処理を行う、複数のプリンタに対して使用される共通処理モジュールと、
前記共通処理モジュールで量子化処理された画像情報に対してプリンタに依存する処理を行う複数の個別処理モジュールと、
前記複数の個別処理モジュールから一つの個別処理モジュールを選択する選択モジュールとをコンピュータに実現させるためのプログラムを記憶したことを特徴とする。
また、本発明の記憶媒体は、
プリンタのタイプによらない、プリンタのための画像を量子化する、共通画像処理を供給する共通処理モジュールと、
プリンタのタイプによる、プリンタのための共通処理モジュールで量子化された画像情報を修整する、互いに異なる画像処理を供給する複数の個別の処理モジュールとをコンピュータに実現させるためのプログラムを記憶したことを特徴とする。